(57)【要約】【課題】監視画像を容易に閲覧できるようにする。【解決手段】監視画像を記録再生する記録再生部と、上記記録再生部を遠隔制御する端末１２１とを備え、上記記録再生部は、上記遠隔制御のための制御信号を受信するリモコン信号受信部１１３と、カメラ１１２の出力画像信号を上記制御信号に従って記録する入力画像処理部１０２，ハードディスク１０３と、上記制御信号に従ってカメラ１１２の出力画像または再生画像を送信する出力画像処理部１０４，画像信号送信部１１１とを有し、端末１２１は、送信された画像を受信する画像信号受信部１２５と、上記画像を表示するモニタ１２８と、上記画像を記録する画像信号処理部１２６およびコンパクトディスク１２７と、上記制御信号を生成し、上記遠隔制御に連動して上記第２の受信手段および上記第２の記録手段を制御する制御部１２３と、上記制御信号を送信するリモコン信号送信部１２４とを有する。【選択図】        図１
2004187225.tif 000002
【特許請求の範囲】
【請求項１】
カメラで撮像した監視画像を記録再生する記録再生部と、上記記録再生部を遠隔制御する制御端末とを備え、
上記記録再生部は、
上記遠隔制御のための制御信号を受信する第１の受信手段と、
上記カメラの出力画像信号を上記制御信号に従って画像データとして記録する第１の記録手段と、
上記制御信号に従って上記カメラの出力画像または上記記録された画像データの再生画像を送信する第１の出力手段と
を有し、
上記制御端末は、
上記第１の出力手段から送信された画像を受信する第２の受信手段と、
上記受信された画像を表示する表示手段と、
上記受信された画像を画像データとして記録する第２の記録手段と、
上記制御信号を生成するとともに、上記遠隔制御に連動して上記第２の受信手段および上記第２の記録手段を制御する制御手段と、
上記生成された制御信号を送信する第２の出力手段と
を有する
ことを特徴とする監視システム。
【請求項２】
上記第１の記録手段は、上記カメラの出力画像信号を圧縮処理し、圧縮画像データとして記録し、
上記第１の出力手段は、上記記録された圧縮画像データを伸張処理して送信する
ことを特徴とする請求項１記載の監視システム。
【請求項３】
上記第２の記録手段は、上記第２の受信手段で受信された画像信号を圧縮処理し、圧縮画像データとして記録することを特徴とする請求項１記載の監視システム。
【請求項４】
上記第１の記録手段は、上記カメラの出力画像信号を圧縮処理し、圧縮画像データとして記録し、
上記第１の出力手段は、上記記録された圧縮画像データを送信し、
上記第２の受信手段は、上記圧縮画像データを受信し、
上記表示手段は、上記受信された圧縮画像データを伸張処理して表示する
ことを特徴とする請求項１記載の監視システム。
【請求項５】
上記第１の記録手段は、上記カメラの出力画像を圧縮処理し、圧縮画像データとして記録し、
上記第１の出力手段は、上記記録された圧縮画像データを送信し、
上記第２の受信手段は、上記圧縮画像データを受信し、
上記第２の記録手段は、上記受信された圧縮画像データを記録する
ことを特徴とする請求項１記載の監視システム。
【請求項６】
上記第２の記録手段は、上記受信された圧縮画像データの圧縮手法を変換して記録することを特徴とする請求項５記載の監視システム。
【請求項７】
上記第１の出力手段は、画像信号を間引きして送信し、
上記第２の受信手段は、上記間引きされた画像信号を受信し、
上記第２の記録手段は、上記間引きされた画像信号に含まれる画面ごとの同期信号をもとに、上記間引きされた画像信号を画面ごとに記録する
ことを特徴とする請求項１記載の監視システム。
【請求項８】
上記第１の記録手段は、上記カメラの出力画像信号を圧縮処理し、圧縮画像データとして記録し、
上記第１の出力手段は、上記記録された圧縮画像データを間引きし、その間引きした圧縮画像データに画面を特定する情報を付加して送信し、
上記第２の受信手段は、上記間引きされた圧縮画像データを受信し、
上記第２の記録手段は、上記画像を特定する情報をもとに、上記間引きされた圧縮画像データを画面ごとに記録する
ことを特徴とする請求項１記載の監視システム。
【請求項９】
上記表示手段は、上記第２の記録手段に記録された画像データを再生して表示することを特徴とする請求項１記載の監視システム。
【発明の詳細な説明】
【０００１】
【発明の属する技術分野】
本発明は、エレベータやコンビニエンスストア等において犯罪防止等のために用いられる監視システムに関する。
【０００２】
【従来の技術】
従来の監視システムにおいては、例えば、エレベータ乗りかご内に監視カメラを設置し、この監視カメラで撮影した映像を上記乗りかごの天井裏に設置した監視装置にて記録する。記録した映像を再生するには、パーソナルコンピュータを乗りかご内に持参し、パーソナルコンピュータにて上記監視装置を遠隔操作し、上記監視装置から画像データを転送するよう制御する。そして、転送された画像データをパーソナルコンピュータ上の画面に表示する（例えば、特許文献１参照）。
【０００３】
【特許文献１】
特開２００２−３７５５４号公報（第３頁、図１）
【０００４】
【発明が解決しようとする課題】
しかしながら、上記従来の監視システムでは、利用者がパーソナルコンピュータの使い方を習得している必要があるが、パーソナルコンピュータは扱いが必ずしも容易ではないため、広く一般の人々が活用できるとは限らないという課題があった。また、パーソナルコンピュータに監視画像を記録する機能がなく、また、監視装置の制御と連動していないため、操作が複雑化し、使い勝手が悪いという課題があった。
【０００５】
本発明は、このような従来の課題を解決するためになされたものであり、
監視記録装置を制御し、かつ監視記録装置に記録された監視映像を閲覧し、必要な映像は記録することができる端末を得ることである。
【０００６】
【課題を解決するための手段】
本発明の監視システムは、
カメラで撮像した監視画像を記録再生する記録再生部と、上記記録再生部を遠隔制御する制御端末とを備え、
上記記録再生部は、
上記遠隔制御のための制御信号を受信する第１の受信手段と、
上記カメラの出力画像信号を上記制御信号に従って画像データとして記録する第１の記録手段と、
上記制御信号に従って上記カメラの出力画像または上記記録された画像データの再生画像を送信する第１の出力手段と
を有し、
上記制御端末は、
上記第１の出力手段から送信された画像を受信する第２の受信手段と、
上記受信された画像を表示する表示手段と、
上記受信された映像を画像データとして記録する第２の記録手段と、
上記制御信号を生成するとともに、上記遠隔制御に連動して上記第２の受信手段および上記第２の記録手段を制御する制御手段と、
上記生成された制御信号を送信する第２の出力手段と
を有する
ことを特徴とするものである。
【０００７】
【発明の実施の形態】
実施の形態１．
図１は本発明の実施の形態１の監視システムの構成図である。図１において、実施の形態１の監視システムは、監視記録装置１０１と、カメラユニット１１１と、端末１２１とによって構成される。
【０００８】
監視記録装置１０１は、例えば乗りかごの天井裏などに設置される。カメラユニット１１１は、例えばエレベータの乗りかご内の天井に設置される。端末１２１は、エレベータの管理者などが利用する。
【０００９】
カメラユニット１１１は、カメラ１１２と、リモコン信号受信部１１３と、画像信号送信部１１４とを備えて構成される。
【００１０】
カメラユニット１１１において、カメラ１１２は、エレベータ内を撮影し、その画像信号を監視記録装置１０１に送る。リモコン信号受信部１１３は、端末１２１から送信されたリモコン信号（制御信号）を受信して監視記録装置１０１に送る。画像信号送信部１１４は、監視記録装置１０１から出力された画像信号を端末１２１に送信する。
【００１１】
監視記録装置１０１は、入力画像処理部１０２と、ハードディスク１０３と、出力画像処理部１０４と、制御部１０５とを備えて構成される。
【００１２】
監視記録装置１０１において、入力画像処理部１０２は、カメラ１１２から出力された画像信号を圧縮処理をして圧縮画像データを生成する。ハードディスク１０３は、上記の圧縮画像データを記録する。出力画像処理部１０４は、ハードディスク１０３に記録された圧縮画像データを伸張処理し、画像信号を復元する。制御部１０５は、リモコン信号受信部１１３で受信された制御信号に従って、入力画像処理部１０２、ハードディスク１０３、および出力画像処理部１０４を制御する。
【００１３】
端末１２１は、リモコンボタン１２２と、制御部１２３と、リモコン信号送出部１２４と、画像信号受信部１２５と、画像信号処理部１２６と、コンパクトフラッシュ（コンパクトフラッシュは米ＳａｎＤｉｓｋ社の登録商標）１２７と、モニタ１２８とを備えて構成される。
【００１４】
端末１２１において、画像信号受信部１２５は、画像信号送信部１１４から送信された画像信号を受信する。画像信号処理部１２６は、画像信号受信部１２５で受信された画像信号を圧縮処理して圧縮画像データを生成する。コンパクトフラッシュ１２７は、上記の圧縮画像データを記録する。モニタ１２８は、画像信号受信部１２５で受信された画像信号を表示する液晶パネルなどである。
【００１５】
また、端末１２１において、リモコンボタン１２２は、利用者が命令を入力操作するボタンである。制御部１２３は、入力された命令に従って、監視記録装置１０１を遠隔制御するための制御信号を生成するとともに、この監視記録装置１０１の遠隔制御に連動して、画像信号受信部１２５、画像信号処理部１２６、およびコンパクトフラッシュ１２７を制御する。リモコン信号送出部１２４は、制御部１２３で生成された制御信号をリモコン信号として送信する。
【００１６】
このように構成された実施の形態１の監視システムの動作を以下に説明する。まず、カメラユニット１１１のカメラ１１２で撮像された監視画像を監視記録装置１０１のハードディスク１０３に記録する手順を説明する。利用者は、端末１２１のリモコンボタン１２２を操作して、監視記録装置１０１での記録命令およびその画像記録の間隔や画像の圧縮率などの設定を入力する。
【００１７】
端末１２１の制御部１２３は、上記入力された記録命令および設定に従って、監視記録装置１０１を遠隔制御して画像記録をさせるための制御信号を生成する。この制御信号は、リモコン信号送信部１２４からリモコン信号として送信される。
【００１８】
端末１２１から送信されたリモコン信号（記録のための制御信号）は、カメラユニット１１１のリモコン信号受信部１１３で受信され、監視記録装置１０１の制御部１０５に送られる。制御部１０５は、この記録のための制御信号に従って、記録間隔や画像の圧縮率などを設定し、入力画像処理部１０２およびハードディスク１０３を制御する。これによって、カメラ１１２で撮影されて映像は上記設定された記録間隔や画像の圧縮率に従って入力画像処理部１０２で圧縮処理され、生成された圧縮画像データがハードディスク１０３に記録される。
【００１９】
次に、監視記録装置１０１のハードディスク１０３に記録された圧縮画像データを再生および伝送し、端末１２１のコンパクトフラッシュ１２７に記録する手順を説明する。利用者は、リモコンボタン１２２を操作して、監視記録装置１０１に記録された圧縮画像データの再生および伝送ならびに端末１２１での記録命令を入力する（例えば、再生記録ボタンを押す）。
【００２０】
端末１２１の制御部１２３は、上記入力された再生記録命令に従って、監視記録装置１０１を遠隔制御して画像再生をさせるための制御信号を生成する。この制御信号は、リモコン信号送信部１２４からリモコン信号として送信される。また、制御部１２３は、カメラユニット１１１の画像信号送信部１１４から送信される再生画像信号を受信し、モニタ１２８に表示させ、かつ画像信号処理部１２６で圧縮処理してコンパクトフラッシュ１２７に記録するように、監視記録装置１０１の遠隔制御に連動して、画像信号受信部１２５、画像信号処理部１２６、およびコンパクトフラッシュ１２７を制御する。
【００２１】
端末１２１から送信されたリモコン信号（再生のための制御信号）は、カメラユニット１１１のリモコン信号受信部１１３で受信され、監視記録装置１０１の制御部１０５に送られる。制御部１０５は、この再生のための制御信号に従って、出力画像処理部１０４およびハードディスク１０３を制御する。これよって、ハードディスク１０３から圧縮画像データが読み出され、この圧縮画像データは出力画像処理部１０４で伸張処理され、再生された画像信号がカメラユニット１１１の画像信号送信部１１４から送信される。
【００２２】
カメラユニット１１１から送信された再生画像信号は、端末１２１の画像信号受信部１２５で受信され、モニタ１２８に表示される。さらに、上記の再生画像信号は、画像信号処理部１２６で圧縮処理され、生成された圧縮画像データがコンパクトフラッシュ１２７に記録される。このコンパクトフラッシュ１２７に記録された圧縮画像データが、ＪＰＥＧなどのパーソナルコンピュータで汎用されている圧縮技術で構成されていれば、このコンパクトフラッシュ１２７を使用して、パーソナルコンピュータにて画像再生をすることができる。
【００２３】
なお、圧縮画像データを再生し、監視記録装置１０１のハードディスク１０３に記録された圧縮画像データを、コンパクトフラッシュ１２７に記録せずに、再生伝送することもできる。利用者は、リモコンボタン１２２を操作して、監視記録装置１０１に記録された圧縮画像データの再生伝送命令を入力する（例えば、再生ボタンを押す）。端末１２１の制御部１２３は、上記入力された再生命令に従って、上記の再生記録と同様の手順で監視記録装置１０１を遠隔制御するとともに、カメラユニット１１１の画像信号送信部１１４から送信される再生画像信号を受信し、モニタ１２８に表示させるように、監視記録装置１０１の遠隔制御に連動して、画像信号受信部１２５を制御する。
【００２４】
また、カメラ１１２から出力され、入力画像処理部１０２に入力された画像信号を、ハードディスク１０３で記録せずに、そのまま出力画像処理部１０４に転送し、カメラユニット１１１の画像信号送信部１１４から端末１２１の画像信号受信部１２５に送信することもできる。
【００２５】
また、監視記録装置１０１において、カメラ１１２の出力画像信号を圧縮処理せずに画像データとしてハードディスク１０３に記録し、ハードディスク１０３から読み出した画像データを伸張処理せずに画像信号を再生してもよい。
【００２６】
また、端末１２１において、再生画像信号を圧縮処理せずに画像データとしてコンパクトフラッシュ１２７に記録してもよい。
【００２７】
以上のように実施の形態１によれば、端末１２１から監視記録装置１０１での監視画像の記録および再生伝送を遠隔制御するとともに、この監視記録装置１０１の遠隔制御に連動して、端末１２１において監視画像の表示および記録を制御する構成としたことにより、監視画像を容易に閲覧できる。
【００２８】
また、監視記録装置１０１においてカメラ１１２の出力画像信号を圧縮処理し、圧縮画像データをハードディスク１０３に記録することにより、監視記録装置１０１に搭載する記憶容量を低減することができる。
【００２９】
また、端末１２１において受信した画像信号を圧縮処理し、圧縮画像データをコンパクトフラッシュ１２７に記録することにより、端末１２１に搭載する記憶容量を低減することができる。
【００３０】
実施の形態２．
この実施の形態２の監視システムは、上記実施の形態１において、監視記録装置１０１のハードディスク１０３に記憶されている圧縮画像データを、出力画像処理部１０４で伸張処理せずに、圧縮画像データのまま端末１２１に伝送するようにしたものである。
【００３１】
監視記録装置１０１の出力画像処理部１０４から出力された圧縮画像データは、カメラユニット１１１の画像信号送信部１１４から端末１２１の画像信号受信部１２５に送信される。端末１２１の画像信号受信部１２５では、受信した画像圧縮データを伸張処理し、モニタ１２８に表示させる。
【００３２】
また、画像信号受信部１２５で受信された圧縮画像データは、そのまま画像信号処理部１２６に送られ、圧縮画像データのままでコンパクトフラッシュ１２７に記録される。
【００３３】
なお、画像信号処理部１２６において、上記の圧縮画像データを端末１２１に適した圧縮方法あるいはコンパクトフラッシュ１２７に適した圧縮方法によって変換して、コンパクトフラッシュ１２７に記録することも可能である。
【００３４】
以上のように実施の形態２によれば、圧縮画像データを監視記録装置１０１から端末１２１に伝送することにより、データ伝送容量を低減することができる。
【００３５】
また、監視記録装置１０１から伝送された圧縮画像データをそのまま端末１２１のコンパクトフラッシュ１２７に記録することにより、端末１２１での画像処理を簡略化することができる。
【００３６】
また、監視記録装置１０１から伝送された圧縮画像データを、端末１２１あるいはコンパクトフラッシュ１２７に適した圧縮方法によって変換してコンパクトフラッシュ１２７に記録することにより、端末１２１の構成を最適化することができる。
【００３７】
実施の形態３．
この実施の形態２の監視システムは、上記実施の形態１において、ハードディスク１０３に記録された圧縮画像データを間引き再生してインデックス画像信号を生成し、そのインデックス画像信号を端末１２１に伝送するようにしたものである。
【００３８】
上記実施の形態１において、監視記録装置１０１の出力画像処理部１０４から出力される画像信号には、画面ごとに同期信号が含まれており、端末１２１の画像信号処理部１２６では、この同期信号をもとに画像１画面分を検出して、画像信号を圧縮処理する。画像信号としてテレビ信号を用いる場合、１秒間にフレームでは１秒間に３０コマ、フィールドでは１秒間に６０コマの再生が可能であるため、端末１２１においては、フィールド単位で画像を更新することで、最大、１秒間に６０コマ、つまり１秒間に６０種類の画像をコンパクトフラッシュ１２７に記録することができる。
【００３９】
図２は本発明の実施の形態３においての画像データの間引き再生を説明する図である。図２において、ハードディスク１０３に記録された監視画像の２０１と再生する画像の２１１は同じ画像１であり、ハードディスク１０３に記録された監視画像の２０２と再生する画像の２１２は同じ画像２であり、ハードディスク１０３に記録された監視画像の２０３と再生する画像の２１３は同じ画像３である。この図２では、ハードディスク１０３に記録された監視画像データを、１０秒に１コマずつ選択して、間引き再生している。これによって、ハードディスクに１０３に記録された６００秒分の画像のインデックス画像を、１秒で端末１２１に伝送し、１秒でコンパクトフラッシュ１２７に記録することができる。
【００４０】
このようなインデックス画像を生成および伝送し、端末１２１のコンパクトフラッシュ１２７に記録する手順を説明する。利用者は、端末１２１のリモコンボタン１２２を操作して、インデックス画像の生成および伝送ならびに端末１２１での記録命令を入力し（例えば、インデックス記録ボタンを押す）、さらに必要に応じて間引き間隔などの設定を入力する。
【００４１】
端末１２１の制御部１２３は、上記入力されたインデックス記録命令およびその設定に従って、監視記録装置１０１を遠隔制御してインデックス画像を生成および伝送させるための制御信号を生成する。この制御信号は、リモコン信号送信部１２４からリモコン信号として送信される。また、制御部１２３は、カメラユニット１１１の画像信号送信部１１４から送信されるインデックス画像信号を受信し、モニタ１２８に表示させ、かつ画像信号処理部１２６で圧縮処理してコンパクトフラッシュ１２７に記録するように、監視記録装置１０１の遠隔制御に連動して、画像信号受信部１２５、画像信号処理部１２６、およびコンパクトフラッシュ１２７を制御する。
【００４２】
端末１２１から送信されたリモコン信号（インデックス画像の生成および伝送のための制御信号）は、カメラユニット１１１のリモコン信号受信部１１３で受信され、監視記録装置１０１の制御部１０５に送られる。制御部１０５は、このインデックス画像の生成および伝送のための制御信号に従って、間引き間隔を設定し（例えば１０秒に１コマずつ）、入力画像処理部１０２、ハードディスク１０３、および出力画像処理部１０４を制御する。これよって、上記設定された間引き間隔でハードディスク１０３から圧縮画像データが読み出され、この間引きされた圧縮画像データは出力画像処理部１０４で伸張処理され、再生されたインデックス画像信号がカメラユニット１１１の画像信号送信部１１４から送信される。
【００４３】
カメラユニット１１１から送信されたインデックス画像信号は、端末１２１の画像信号受信部１２５で受信され、モニタ１２８に表示される。さらに、上記のインデックス画像信号は、画像信号処理部１２６に転送される。画像信号処理部１２６では、インデックス画像信号に含まれる同期信号をもとに画像の１画面（１フレームあるいは１フィールド）を検出し、画面ごとの圧縮画像データを生成し、コンパクトフラッシュ１２７に記録する。コンパクトフラッシュ１２７に記録されたインデックス画像の圧縮画像データは、パーソナルコンピュータなどで再生することができる。
【００４４】
以上のように実施の形態３によれば、監視記録装置１０１に記録された圧縮画像データを間引き再生して端末１２１に伝送し、その間引き再生された画像信号を画面ごとに端末１２１に記録することにより、監視記録装置１０１で長時間記録されている監視画像データを短時間で端末１２１にコピーすることができ、監視記録装置１０１が監視装置として動作していない時間を低減することができる。
【００４５】
実施の形態４．
この実施の形態４の監視システムは、上記実施の形態１において、ハードディスク１０３に記録された圧縮画像データを間引きしてインデックス画像の圧縮画像データを生成し、そのインデックス画像の圧縮画像データを端末１２１に伝送するようにしたものである。
【００４６】
上記実施の形態３では、監視記録装置１０１の出力画像処理部１０４から出力されるインデックス画像信号は、ハードディスク１０３に記憶された圧縮画像データを間引きして伸張処理した再生画像信号であって、画面を特定する同期信号を含むものであった。
【００４７】
この実施の形態４では、ハードディスク１０３に記憶された圧縮画像データを間引きし、その圧縮画像データに画面を特定する情報を付加して端末１２１に伝送する。端末１２１の画像信号受信部１２５で受信されたインデックス画像の圧縮画像データは、画面を特定する情報とともに、画像信号処理部１２６に転送される。画像信号処理部１２６では、上記画面を特定する情報をもとに、画面ごとの圧縮画像データをコンパクトフラッシュ１２７に記録する。
【００４８】
なお、画像信号処理部１２６において、上記インデックス画像の圧縮画像データを端末１２１に適した圧縮方法あるいはコンパクトフラッシュ１２７に適した圧縮方法によって変換して、コンパクトフラッシュ１２７に記録することも可能である。
【００４９】
以上のように実施の形態４によれば、監視記録装置１０１に記録された圧縮画像データを間引きして端末１２１に伝送し、その間引きされた圧縮画像データを画面ごとに端末１２１に記録することにより、伝送量の低減やシステムの簡略化を実現でき、監視記録装置１０１で長時間記録されている監視画像データをさらに短時間で端末１２１にコピーすることができ、監視記録装置１０１が監視装置として動作していない時間をさらに低減することができる。
【００５０】
実施の形態５．
図３は本発明の実施の形態５の監視システムの構成図である。なお、図３において、図１と同じものあるいはそれに相当するものには、同じ符号を付し、その説明を省略する。図３の監視記録装置１０１およびカメラユニット１１１の構成は、上記実施の形態１（図１参照）の監視記録装置１０１およびカメラユニット１１１と同じであるが、図３の端末１２１は、上記実施の形態１の端末１２１において、画像伸張処理部１２９を設けた構成になっている。
【００５１】
画像伸張処理部１２９は、コンパクトフラッシュ１２７に記録された圧縮画像データを読み出し、その圧縮画像データ画像を伸張処理して、画像信号を生成し、その画像信号を画像信号受信部１２５に出力する。
【００５２】
この実施の形態５の監視システムは、端末１２１のコンパクトフラッシュ１２７に記録された圧縮画像データを画像伸張処理部１２９によって端末１２１のモニタ１２８で表示できる構成としたものである。
【００５３】
このようなコンパクトフラッシュ１２７に記録された圧縮画像データを再生してモニタ１２８に表示する手順を説明する。利用者は、リモコンボタン１２２を操作して、圧縮画像データの再生および表示命令を入力し（例えばデータ再生ボタンを押す）、コンパクトフラッシュ１２７に記録されている圧縮画像データの中から再生して表示したい所望の圧縮画像データを選択する。
【００５４】
端末１２１の制御部１２３は、上記入力されたデータ再生命令およびその選択に従って、コンパクトフラッシュ１２７に記録されている圧縮画像データの中から上記所望の圧縮画像データを画像伸張処理部１２９に読み出し、この所望の圧縮画像データの画像信号がモニタ１２８に表示されるように、コンパクトフラッシュ１２７、画像伸張処理部１２９、および画像信号受信部１２５を制御する。
【００５５】
画像伸張処理部１２９では、コンパクトフラッシュ１２７から読み出した上記所望の圧縮画像データが伸張処理されて画像信号が生成される。この画像信号は、画像信号受信部１２５に出力され、画像信号受信部１２５からモニタ１２８に転送されて、モニタ１２８に表示される。このようにして、コンパクトフラッシュ１２７に記録された所望の圧縮画像データをモニタ１２８に表示できる。
【００５６】
なお、上記実施の形態２，３，４において、端末１２１に画像伸張処理部１２９を設け、コンパクトフラッシュ１２７に記録された圧縮画像データを端末１２１のモニタ１２８で表示できる構成とすることも可能である。
【００５７】
以上のように実施の形態５によれば、端末１２１のコンパクトフラッシュ１７２に記録した圧縮画像データを端末１２１内で再生して端末１２１内のモニタ１２８に表示できるので、例えば、監視記録装置１０１まで出向いて間引き再生の記録をした場合に、すぐに閲覧し、さらに必要な部分をその場で記録することができる。
【００５８】
【発明の効果】
以上説明したように本発明によれば、制御端末から記録再生部を遠隔制御するとともに、この遠隔制御に連動して制御端末において記録再生部から伝送された監視画像を表示および記録する構成としたことにより、監視画像を容易に閲覧できるという効果がある。
【図面の簡単な説明】
【図１】本発明の実施の形態１ないし４の監視システムの構成図である。
【図２】本発明の実施の形態３においての画像の間引き再生を説明する図である。
【図３】本発明の実施の形態５の監視システムの構成図である。
【符号の説明】
１０１  監視記録装置、  １０２  入力画像処理部、  １０３  ハードディスク、  １０４  出力画像処理部、  １０５  制御部、  １１１  カメラユニット、  １１２  カメラ、  １１３  リモコン信号受信部、  １１４  画像信号送信部、  １２１  端末、  １２２  リモコンボタン、  １２３  制御部、  １２４リモコン信号送信部、  １２５  画像信号受信部、  １２６  画像信号処理部、  １２７  コンパクトフラッシュ、  １２８  モニタ、  １２９  画像伸張処理部。
【図１】
2004187225.tif 000003
【図２】
2004187225.tif 000004
【図３】
2004187225.tif 000005